(57)【要約】【課題】　刃の往復運動によって生じる粒子の少ない超小型角膜切開刀のためのカッターヘッドを提供すること。【解決手段】　超小型角膜切開刀のためのカッターヘッド（１）が、刃先と後端と二つの側端とを有する交互性の切断刃のためのガイドハウジング（６，７，８）を含み、ガイドハウジングが、刃の厚さにほぼ等しい間隔で離間され且つ刃先の近傍と刃の後端の近傍とにそれぞれ配置された二対の平行面を有する。このカッターヘッドにおいて、対の平行面（７ａ，７ｂ，８ａ，８ｂ）の各々が、それらに位置の合った刃の側端間の、刃先に平行に測定された距離から、往復振動の全振幅をマイナスした長さよりも短いものであることを特徴とする。【選択図】　　　図２
2004130131.tif 000002
【特許請求の範囲】
【請求項１】
　超小型角膜切開刀のためのカッターヘッド（１）であって、該ヘッドが、刃先と後端と二つの側端とを有する交互性の切断刃のためのガイドハウジング（６，７，８）を含んでおり、ガイドハウジングが、刃の厚さにほぼ等しい間隔で離間された二対の平行面を有し、前記二対の平行面が、刃先の近傍と刃の後端の近傍とにそれぞれ配置された、前記カッターヘッドにおいて、対の平行面（７ａ，７ｂ，８ａ，８ｂ）の各々が、それらに位置の合った刃の側端間の、刃先に平行に測定された距離から、往復振動の全振幅をマイナスした長さよりも短いことを特徴とする、超小型角膜切開刀のためのカッターヘッド。
【請求項２】
　ヘッドの側面（１ａ）の方に向いている各々の案内面（７ａ，７ｂ，８ａ，８ｂ）の末端でありかつヘッドに挿入される刃が経由する末端が、面取部（１０ａ，１０ｂ，１１ａ，１１ｂ）であることを特徴とする、請求項１に記載のカッターヘッド。
【請求項３】
　刃の刃先に隣接する一対の平行面（８ａ，８ｂ）の各々の外形が、中央後退部（１２ａ，１２ｂ）を示すことを特徴とする、請求項１又は２に記載のカッターヘッド。
【発明の詳細な説明】
【技術分野】
【０００１】
　本発明は、角膜切開刀として知られる屈折矯正手術機器に関するものである。
【背景技術】
【０００２】
　そのような機器では、切断刃は、比較的高い振動数で平面内で往復運動するように駆動される。切断刃が移動するところの平面は、カッターヘッドの本体の中の二つの平行な面の間のガイドハウジングによって形成され、前記二つの平行な面は、刃の厚さにほぼ等しい間隔で離間される。
【０００３】
　実際には、これらの面は二対の面に細別され、一方の対が、刃の後部を案内し、また他方の対が、刃先近傍の刃の前部を案内する。
【０００４】
　刃の二つの側端の間での刃先に沿って計った刃は、ハウジングの長さよりも短い。それ故刃とその側端とは、往復運動の際に、即ち手術が実施されている間に、粒子を案内面から分離する。一般的に刃は、特にヘッドがプラスチック材料で作られる場合、ヘッドを構成する材料よりも硬い材料で作られる。
【０００５】
　更に、ヘッドと刃との間の接触領域は、広く、そして可能な限り最小限にされることが必要な、熱の形のエネルギーを浪費する。
【発明の開示】
【発明が解決しようとする課題】
【０００６】
　本発明は、これらの欠点を少なくするか又は緩和することを追及する。
【課題を解決するための手段】
【０００７】
　この目的のために、本発明は超小型角膜切開刀のためのカッターヘッドを提供するものであり、前記ヘッドは、刃先と後端と二つの側端とを有する交互式の切断刃のためのガイドハウジングを含み、前記ハウジングは、二対の平行面を有し、前記二対の平行面は、刃の厚さにほぼ等しい間隔で離間され、また刃先の近傍と刃の後端の近傍とにそれぞれ配置され、そこでは平行面の各々は、それらに位置の合った刃の側端間の、刃先に平行に測定された距離から、往復振動の全振幅をマイナスした長さよりも短い。
【０００８】
　従って、切断刃の側端は“空中に”残されてガイド面と接触せず、従って支持面上でのこれら側端の移動に起因した削り屑の微細粒子の形成の回避を可能にする。もちろん、カッターヘッドの内側のこれら面の位置は、本技術分野でよく知られている偏心駆動フィンガと係合される場合の刃の平均位置に関して中心を合わせるように置かれる。
【０００９】
　ヘッドの側面の方に向いた各々のガイド面の末端であって、ヘッドに挿入される刃が経由する末端は、刃の挿入時にさえも粒子の生成を回避するため、面取りをされている。
【００１０】
　本発明の他の特徴と利点は、例示することを目的に示される実施例の次の説明から明らかになる。
【００１１】
　参照が添付図面に為される。
【発明を実施するための最良の形態】
【００１２】
　図１は、従来技術の角膜切開刀のためのカッターヘッド１の側面を示しており、このカッターヘッド１は、モータユニットに連結するための面２と、平滑化前板３と、切り離される角膜フラップを偏向させるための偏向面４と、図の平面に垂直な往復運動をする切断刃（非図示）を案内するためのハウジング５とを有している。ハウジング５は、刃の駆動ノブまたは“シャトル”が移動するところの中央部６を有している。この中央部は、第一の一対の平行面７ａ，７ｂと第二の一対の平行面８ａ，８ｂとの間に広がって、前記第一の一対の平行面７ａ，７ｂは、刃の後端に隣接する刃を案内するためにほぼ刃の厚さで離間され、前記第二の一対の平行面８ａ，８ｂは同じ様態で離間されて、平滑化前板３の後端の直ぐ後に配置されている刃先の近傍における刃を案内するように働く。
【００１３】
　上で説明された要素のいくつかは、図２，３、及び４に現れ、そこでは前記要素は同一の参照符号を付与され、また前記図は、本発明の配置を含んだ角膜切開刀を示している。
【００１４】
　図３及び４において、切断刃９は、一点鎖線で表されており、切断刃９の作動中の中央位置で示されている。刃は、刃先９ａと、二つの側端９ｂ，９ｃと、後端９ｄとを有している。刃の後端を案内するための面７ａ及び７ｂは、面７ａ及び７ｂに位置が合っている側端９ｂと９ｃとの間の距離よりも短い。この長さは、側端間の距離よりもかなり短いことが可能であり、また刃のガイド平面における刃の振動の全振幅を前記距離からマイナスした距離以下である。刃がヘッド１に挿入されるところの前記１ａに隣接した面７ａ及び７ｂが、１０ａ及び１０ｂにおいて面取りされて、刃の側端９ｃを案内するためのランプを形作ることが見られる。面８ａ及び８ｂについて、それらが、面７ａ及び７ｂに対するのと同じ、刃９に対する基準を満足する長さのものであること、並びにそれらが、刃の挿入のための面取部１１ａ及び１１ｂを同様に有すること、更にそれらが、カッターヘッドと刃との間の摩擦領域を縮小するように、中央後退部１２ａ及び１２ｂを有することを見ることができる。
【００１５】
　本発明の配置は、電動式か手動前進式かを問わず、また直線的又は円形の切断ストロークを有するあらゆるタイプの超小型角膜切開刀に適用可能である。
【図面の簡単な説明】
【００１６】
【図１】図１は、従来技術の超小型角膜切開刀のヘッドの側面図である。
【図２】図２は、図１に示され、また本発明の配置に適合した超小型角膜切開刀のヘッドの詳細図である。
【図３】図３は、図２のＩＩＩ−ＩＩＩにおける断面図である。
【図４】図４は、図２のＩＶ-ＩＶにおける断面図である。
【符号の説明】
【００１７】
１…カッターヘッド
７…ガイドハウジング
７ａ，７ｂ…対の平行面
８…ガイドハウジング
８ａ，８ｂ…対の平行面
１０ａ…面取部
１０ｂ…面取部
１２ａ…中央後退部
１２ｂ…中央後退部
【図１】
2004130131.tif 000003
【図２】
2004130131.tif 000004
【図３】
2004130131.tif 000005
【図４】
2004130131.tif 000006